(57)【要約】本発明は、少なくとも１つの統合された熱源・熱交換器を有する第１の熱源５と、熱源５から離れて建物の少なくとも１つの部屋１１に熱移送外面１３を有するラジエータとして取り付けられた熱移送装置１２と、熱源・熱交換器と熱移送装置１２の間の供給管および戻り管としての導管１４，１５とを有する、第１の暖房サブシステム４が含まれる建物暖房システム３に関する。熱源・熱交換器および熱移送装置１２の導管１４，１５には流動性の熱移送媒体が含まれる。建物暖房システム３にはさらに第２の熱源と暖房制御装置１８を有する第２の暖房サブシステム１６が含まれ、前記暖房制御装置１８は単独運転するために暖房サブシステム４，１６を切断あるいは切り換え、または連結運転するために一方の暖房サブシステムを他方の暖房サブシステムに追加接続する少なくとも１つの切換えユニットと１つの温度制御装置とを備える。さらに、第２の暖房サブシステム１６には電気的に活性化される被覆層を放射面１７として有する放射ラジエータが含まれ、前記放射面１７は熱移送外面１３の少なくとも一部に直接または間接的に２次元の被覆層として塗布されるので、熱移送装置１２は第１の暖房サブシステム４であるとともに、第２の暖房サブシステム１６の放射面１７としての被覆層の統合された保持部としても構成される。【選択図】図１
2004526932.tif 000002
【特許請求の範囲】
【請求項１】
統合された熱源・熱交換器を有する少なくとも１つの第１の熱源と、熱源から離れ、熱移送外面を有するラジエータとして室内に取り付けられた少なくとも１つの熱移送装置と、熱源・熱交換器と熱移送装置との間に流動性の熱移送媒体が含まれる供給導管および戻り導管としての導管とを有する第１の暖房サブシステムと、
第２の熱源を有する第２の暖房サブシステムと、
さらに、単独運転のために暖房サブシステムを切断あるいは切り換え、または連結運転のために一方の暖房サブシステムを他方の暖房サブシステムに追加接続する少なくとも１つの切換えユニットと１つの温度調節装置とを有する暖房制御装置と
から構成される建物暖房装置において、
第２の暖房サブシステム（１６）は放射暖房装置であり、熱移送外面（１３）の少なくとも一部に平坦に直接または間接的に塗布され電気的に活性化される放射面（１７）としての被覆層を有し、そのため熱移送装置（１２）は第１の暖房サブシステムの構成部材であるとともに、第２の暖房サブシステム（１６）の放射面（１７）としての被覆層の統合された保持部でもあることを特徴とする建物暖房装置。
【請求項２】
建物暖房装置は省エネルギー暖房装置（３）であり、第１の暖房サブシステム（４）は涼しい外気温度の場合の暖房出力の基本システムとして形成され、
第２の暖房サブシステム（１６）は、外気温度が比較的寒くて第１の暖房サブシステム（４）の暖房出力だけでは十分でない場合に、外気温度および／または室内温度に応じて自動的に切換えユニットによって追加接続される
ことを特徴とする請求項１に記載の建物暖房装置。
【請求項３】
第１の暖房サブシステム（４）は少なくとも１つのソーラーモジュール（５）および／または少なくとも１つの地熱モジュールおよび／またはバイオガスプラントにおける発電機の１つの冷却器の形式の熱源を有し、熱移送媒体は制御されたポンプ移送可能な温水であることを特徴とする請求項１または２に記載の建物暖房装置。
【請求項４】
建物暖房装置（３）には第２の暖房サブシステム（１６）に必要な電気エネルギーを発生させるため、風力発電機および／またはバイオガス発電機および／または水力発電機が付設されることを特徴とする請求項１ないし３のいずれか１項に記載の建物暖房装置。
【請求項５】
熱移送装置の平板型ラジエータ（１２）は広い平坦な前面（１３）を有し、平板型ラジエータ（１２）の面は室壁にほぼ平行とし、前面（１３）は室内に向けて取り付け可能であり、
前記前面（１３）には被覆層（１７）がそれぞれ塗布される
ことを特徴とする請求項１ないし４のいずれか１項に記載の建物暖房装置。
【請求項６】
熱移送装置（１２）は金属で製造され、保持面としての熱移送外面（１３）と放射面（１７）としての被覆層との間には少なくとも電気絶縁の中間層が塗布されることを特徴とする請求項１ないし５のいずれか１項に記載の建物暖房装置。
【請求項７】
被覆層（１７）はこの被覆層に接続された２つの電気導体（２４，２５）によって境界が画され、被覆層材料の組成は、
ａ．３９から４９％量の結合剤と、
１８から２３％量の絶縁剤と、
１８から２４％量の分散剤と、
１２から１６％量の蒸留水と
からなる５５から６５％量の基本物質と
ｂ．３５から４５％量の黒鉛と
からなり、
結合剤の組成は
６４から７９％量の蒸留水と、
４から６％量のスルホン油と、
０．１６から０．２４％量のフェノールまたは０．０５から０．５％量のベンゾイソチアゾリノンと
１５から１９％量のカゼインと、
０．１８から１．２％量の尿素と、
２から３％量のアルカリ希釈剤と、
２．５から３．５％量のカプロラクタムと
からなり、
暖房制御装置（１８）は、トリガー振動の制御の際に急峻な上昇縁に対応する急峻な電流上昇速度を有して高調波の高い部分を発生させるのに適した電気モジュールが含まれる高調波発振器（２３）を備え、
高調波発振器（２３）は、分子固有振動周波数の領域で振動スペクトルを有する電磁波を放射する被覆層（１７）を励磁するため、被覆層（１７）の境界を画する２つの電気導体（２４，２５）に接続される
ことを特徴とする請求項１ないし７のいずれか１項に記載の建物暖房装置。
【請求項８】
スルホン油は硫酸リシン油が望ましく、
フェノールは分解で生成された炭化フェノールであるか、または望ましくはベンゾイソチアゾリノンが使用され、
希釈剤は芳香族および／またはアルコールおよび／またはエステルおよび／またはケトンを基本とする溶剤であり、
絶縁剤は絶縁ススであり、
分散剤は無機および／または有機の、モノマーおよび／またはポリマー物質であり、
被覆層材料はチキソトロピー剤を含む
ことを特徴とする請求項７に記載の建物暖房装置。
【請求項９】
電気構成部材は付設された公知の電子トリガー部材を有するトライアックおよび／または二重ＭＯＳＦＥＴであり、
暖房部材上の電気導体はほぼ平行に配置された銅箔帯（２４，２５）として形成され、被覆層（１７）への電気接触は容量的および／または誘導的接続で形成され、被覆層（１７）が銅箔帯（２４，２５）の上または下に配置されるか、銅箔帯が被覆層（１７）内に埋め込まれる
ことを特徴とする請求項７または８に記載の建物暖房装置。
【請求項１０】
被覆層（１７）の暖房効果は高調波発振器（２３）のトリガー振動の振幅および／または周波数の変化によって制御および／または調節可能であることを特徴とする請求項７ないし９のいずれか１項に記載の建物暖房装置。
【発明の詳細な説明】
【技術分野】
【０００１】
本発明は請求項１の上位概念部に記載された建物暖房装置に関する。
【背景技術】
【０００２】
従来の建物暖房装置は石油ボイラあるいはガスボイラとしての暖房ボイラから主として構成され、このボイラに供給導管および戻り導管の配管によって建物の部屋に取り付けられたラジエータが接続される。暖房ボイラで発生した熱は温水の移送媒体を介して、１つまたは複数の暖房循環経路で、各部屋を暖房するため熱移送装置の機能を有するラジエータに移送される。
【０００３】
このような建物暖房装置には比較的多くの暖房エネルギーが必要となる。経済的な暖房運転を行い、有害物排出および制限された公知の石化燃料を減少させるために、公知の解決手段を使って暖房装置をより効率的に形成することに常に努力が払われている。
【０００４】
一般的に知られた全般的な建物暖房装置は２つの暖房サブシステムからなり、いわゆるエネルギー節約ハウスに特に使用される。暖房サブシステムは外気温度が涼しい場合の暖房条件の基本システムとして計画されるが、このサブシステムには、カロリーエネルギーが全くまたはほとんどなく特に石化燃料の燃焼を必要としない熱源が含まれる。このような熱源はソーラーモジュールおよび／または地熱モジュールおよび／またはバイオガスプラントの発電機の冷却器である。このような熱源には統合された熱源・熱交換器があり、これによって、温水の熱移送媒体がラジエータあるいは必要に応じて中間蓄熱器にポンプ移送される。
【０００５】
以上に述べた熱源あるいは類似の熱源の欠点は、その熱源からの熱は特定の時間帯でしか、または変化の大きい状態でしか利用できないということにある。例えば熱工学用語でのかなりの量のソーラーエネルギー熱は十分な太陽照射がある場合しか利用できず、しばしば暖房期間の時間には利用できない場合がある。このように、この暖房システムのみで達成できる暖房効果は、特に外気温度が寒い暖房条件では常に十分とはいえない。これに追加して、別の暖房サブシステムが石化燃料を使用する暖房ボイラを有する最初に述べた従来の建物暖房装置によって計画され、供給導管および戻り導管がラジエータに接続される追加システムとして必要となる。暖房システムの間で切り換えられるか、または並列で運転される。この場合、個々の熱源から選択するか、または熱源を共通にするかしたラジエータに温水による熱エネルギーが導かれる。それに必要な切換えユニットは温度調節装置のある通常の暖房制御装置に組み込まれるが、このような切り換えおよび／または接続を一定の限界条件に応じて自動的に実施することは知られている。
【０００６】
建物暖房装置を基本的に別のエネルギー、例えば太陽エネルギーで、必要な場合は層蓄熱器と連結して運転できるが、比較的寒い期間のために、石化燃料の完全な暖房装置をこのような石化燃料の接続およびタンク容器とともにバックアップシステムとして取り付けなければならないので、このように組み合わせた切り換え可能な暖房サブシステムからなる前述の建物暖房装置の費用は相当な額になることは明白である。さらに石化燃料の暖房サブシステムの高価な取付け費用のほかに、それに必要な保守および保守費用も付随的に発生する。このような条件のため、このように組み合わせた暖房サブシステムの取付け費用は初めに述べた簡単な従来の建物暖房装置に比較してかなり高価になり、節約の可能性は全体では比較的減少されるので、このように組み合わせた暖房サブシステムは環境に対する明白な利点にもかかわらず、まだ一般的には使用されていない。
【０００７】
さらに、導電性の被覆層を備えて電気接続された暖房システム構造用の平板型暖房部材がＤＥ２１５１６２６Ａで知られている。このような平板型暖房部材は抵抗暖房の形式で運転され、被覆層の電気抵抗と電流とに応じて直接に平板型暖房部材に熱を発生させ、この熱が建物の部屋に放射される。このような抵抗暖房装置の運転は単独の建物暖房装置として非常に高価につき経済的ではない。
【０００８】
さらに、被覆層が特定の化学組成からなり、電磁波を放射する高調波発振器によって励磁される、塗布された平板型暖房部材から構成された暖房装置がＤＥ１９８４９４３２Ａ１で知られている。放射は加熱させる媒体の分子固有周波数の領域の振動スペクトルで生じる。平板型暖房部材がほぼ冷たい状態に保持され、暖房効果が放射領域にある媒体に直接生じるように、暖房効果が振動共鳴によって生まれる。このような暖房システムは全体として安価に製造できて効率が高い。
【特許文献１】
ドイツ特許出願２１５１６６２Ａ
【特許文献２】
ドイツ特許出願１９８４９４３２Ａ１
【発明の開示】
【発明が解決しようとする課題】
【０００９】
発明の課題は第１の暖房サブシステムと第２の暖房サブシステムとからなる全般的な建物暖房装置であって、製造を安価にし、取付けスペースを少なくし、かつ機能性と可変性を高めることを可能にすることにある。
【課題を解決するための手段】
【００１０】
請求項１によれば、第２の暖房サブシステムは熱移送外面の少なくとも一部に平坦に直接または間接的に塗布され電気的に活性化される放射面としての被覆層を有する放射暖房装置であるので、熱移送装置は第１の暖房サブシステムの構成部材であるとともに、第２の暖房サブシステムの放射面としての被覆層の統合された保持部でもある。
【００１１】
したがって、第２の暖房サブシステムはバーナーおよび場合によっては油タンクのある高価な暖房ボイラも、それに必要な場所、配管接続や制御装置も必要としない。第１の暖房サブシステムの熱移送装置上に放射面を統合配置することによって、第２の暖房サブシステムのための追加のスペースおよび／または壁面が暖房する部屋に必要でなくなる。このように、熱移送装置は第１の暖房サブシステムの従来の熱移送装置としての機能と、同時に第２の暖房サブシステムの保持部材としての機能とを合わせ有する。この統合された二重の機能によって、熱移送装置／放射面の組合わせはモジュールとしての１つの構造部品で前もって製造者が製造できる利点がある。２つの統合された部屋の熱源部材である熱移送装置／放射面からなる建物暖房装置を製造する際に、１つの作業工程のみで取り付けられる利点がある。その結果、製造および取付けの費用は少なくなる。
【００１２】
前述の建物暖房装置は請求項２による省エネルギー暖房装置として最適であり、第１の暖房サブシステムは涼しい外気温度の場合の暖房出力の基本システムとして形成され、第２の暖房サブシステムは電気的に活性化される放射面を有して、外気温度が比較的寒くて第１の暖房サブシステムの暖房出力だけでは十分でない場合に、切換えユニットによって追加接続できる。前記追加接続は自動的に行われ、また外気温度および／または室内温度に応じて、場合によっては一定の経過温度にも関連して行われるのが望ましい。
【００１３】
発明による建物暖房装置は、第１の暖房サブシステムが少なくとも１つのソーラーモジュールおよび／または少なくとも１つの地熱モジュールおよび／またはバイオガスプラントにおける１つの発電機の冷却器の形式の熱源を含む請求項３に記載された配置が特に適している。適切に制御されたポンプ移送可能な温水が熱移送媒体として使用される。基本的に発明による配置は温風暖房装置にも実施可能である。
【００１４】
建物暖房装置のエネルギー費用をさらに削減するために、第２の暖房サブシステムの電気エネルギーは必要に応じて、請求項４に記載するように、風力発電機および／またはバイオガス発電機および／または水力発電機などの別のエネルギー発生装置で形成するか、少なくとも補足することができる。
【００１５】
請求項５に記載の望ましい実施形態では、熱移送装置の平板型ラジエータは広い平坦な前面を有し、この面を室壁に平行にして前面を室内に向けて取り付けられる。室内に向く前記前面には被覆層が塗布される。このような熱移送装置上に被覆層が広範に簡単に塗布されて、機能が良好となる。
【００１６】
通常熱移送装置は金属で鋳造されるか金属シートで形成される。次に請求項６にしたがって、保持面としての熱移送外面と被覆層との間に電気絶縁の中間層を塗布することが重要となる。この中間層は例えば色の付いた被覆層とするか、または放射面としての被覆層用の保持面を形成する接着性のある膜とする。
【００１７】
特に望ましい実施形態によると、被覆層は請求項７に記載されるような組成を有する。このような被覆層は分子固有周波数の領域の振動スペクトルを有する電磁波を放射する請求項７に記載の高調波発振器で励磁される。さらに請求項８から１０までに、被覆層のこの形式に関連して適切な望ましい展開が記載される。この被覆層は暖房運転においてほぼ冷たい状態に保たれ、暖房する媒体の共鳴による暖房効果は分子固有振動の励起によって生じる。ＤＥ１９８４９４３２Ａ１で知られる暖房効果および暖房配置は発明によるさらなる展開および省エネルギー暖房装置との組合わせにおいてバックアップシステムとして特に適している。
【発明を実施するための最良の形態】
【００１８】
図面に基づいて発明を詳細に説明する。
単一の図は省エネルギーハウスとして計画された建物１の概略的な断面を示すが、建物１には極めて概略的に示される断熱材２を設け、また建物暖房装置として省エネルギー暖房装置３が設けられる。
【００１９】
この省エネルギー暖房装置は熱源として例えばソーラーモジュール５を備えた１つの第１の暖房サブシステムから構成される。このソーラーモジュールは配管６，７を介し、複数のポンプを有するポンプ装置９を備えた制御・調節装置８に接続され、ポンプ装置９のポンプの１つによって冷水が配管６を介してソーラーモジュール５に送られ、そこで加熱され続いて温水として配管７を介して温水・層蓄熱システム１０に導かれる。
【００２０】
第１の暖房サブシステム４には、図１に極めて概略的に例示されるように、部屋１１に取付けられた例えば平板型ラジエータ１２としての熱移動装置が少なくとも１つ含まれ、平板型ラジエータ１２は前面１３を有し、室壁にほぼ平行にし部屋１１に向くように取り付けられる。
【００２１】
この平板型ラジエータ１２は制御・調節装置８の中間切換えによって供給導管１４と戻り導管１５を介して温水・層蓄熱システム１０に接続される。周囲の空気に熱を与えて部屋１１を暖めるため、必要に応じて、ポンプ装置９の少なくとも１つのポンプを追加して供給導管１４を介し平板型ラジエータ１２に温水を送ることができる。それから、適当に冷たくなった水は戻り導管１５を通って戻ってくる。したがって、この第１の暖房サブシステム４は外気温度が涼しい場合の暖房出力の基本システムを形成する。
【００２２】
さらに省エネルギー暖房装置３には、放射暖房装置１６として計画され、平板型ラジエータ１２の前面１３に平坦に塗布され電気的に活性化される放射面１７を備えた第２の暖房サブシステムも含まれる。さらに放射暖房装置１６には温度調節装置と切換えユニットを有する極めて概略的に示した暖房制御装置１８が含まれる。前記切換えユニットで、単独運転のため暖房サブシステム４，１６を切断または切り換え、または連結運転するため一方の暖房サブシステムを他方の暖房サブシステムに切り換える。暖房制御装置１８も制御・調節装置８に組み込まれ、対応する導線２１，２２によって外気温度センサ１９および室内温度センサ２０に接続される。
【００２３】
平板型ラジエータ１２は金属で製造され、保持面としての前面１３と放射面１７としての被覆層との間に図示しない絶縁中間層が塗布される。
暖房制御装置１８は、トリガー振動の際に急峻な上昇縁に対応する急峻な電流上昇速度を有して高調波の高い部分を発生させるのに適した電気モジュールとして、例えばトライアックおよび／または二重ＭＯＳＦＥＴを含む高調波発振器２３をさらに備える。
【００２４】
図１に極く概略的に示すように、高調波発振器２３は放射面１７で隔てられ、ほぼ平行に配置された銅箔帯２４，２５を形成する２つの電気導体に接続される。それによって、分子固有振動周波数の領域で振動スペクトルを有する電磁波を放射するため放射面１７が励磁され、放射面１７の暖房効果が高調波発振器２３のトリガー振動の振幅および／または周波数の変化によって制御および／または調節可能となる。
【００２５】
放射暖房装置１６として形成された第２の暖房サブシステムは、第１の暖房サブシステム４の暖房出力がもはや十分でなくなった比較的寒い外気温度の場合、外気温度および／または室内温度に応じて自動的に切換えユニットによって追加接続される。
【００２６】
放射面１７に対する電気接触は容量的および／または誘導的接続で形成され、図示されていないが放射面１７が銅箔帯２４，２５の下または上に置かれるか、または銅箔帯２４，２５が放射面１７内に埋め込まれる。被覆層を形成する放射面１７の組成に関しては特許請求の範囲で言及される。
【００２７】
放射暖房装置１６に電気エネルギーを発生させるため、省エネルギー暖房装置３には図示しないが、さらに風力発電機および／またはバイオガス発電機および／または水力発電機が付設される。
【図面の簡単な説明】
【００２８】
【図１】省エネルギーハウスとして計画された建物の概略的な断面を示す。
【国際公開パンフレット】
2004526932.tif 000003
2004526932.tif 000004
2004526932.tif 000005
2004526932.tif 000006
2004526932.tif 000007
2004526932.tif 000008
2004526932.tif 000009
2004526932.tif 000010
2004526932.tif 000011
2004526932.tif 000012
2004526932.tif 000013
2004526932.tif 000014
2004526932.tif 000015
2004526932.tif 000016
2004526932.tif 000017
2004526932.tif 000018
2004526932.tif 000019
2004526932.tif 000020
【手続補正書】
【提出日】平成14年10月15日(2002.10.15)
【手続補正１】
【補正対象書類名】明細書
【補正対象項目名】特許請求の範囲
【補正方法】変更
【補正の内容】
【特許請求の範囲】
【請求項１】
統合された熱源・熱交換器を有する少なくとも１つの第１の熱源と、熱源から離れ、熱移送外面を有するラジエータとして室内に取り付けられた少なくとも１つの熱移送装置と、熱源・熱交換器と熱移送装置との間に流動性の熱移送媒体が含まれる供給導管および戻り導管としての導管とを有する第１の暖房サブシステムと、
第２の熱源を有する第２の暖房サブシステムと、
さらに、単独運転のために暖房サブシステムを切断あるいは切り換え、または連結運転のために一方の暖房サブシステムを他方の暖房サブシステムに追加接続する少なくとも１つの切換えユニットと１つの温度調節装置とを有する暖房制御装置と
から構成される建物暖房装置において、
第２の暖房サブシステム（１６）は放射暖房装置であり、熱移送外面（１３）の少なくとも一部に平坦に直接または間接的に塗布され電気的に活性化される放射面（１７）としての被覆層を有し、そのため熱移送装置（１２）は第１の暖房サブシステムの構成部材であるとともに、第２の暖房サブシステム（１６）の放射面（１７）としての被覆層の統合された保持部でもあり、
建物暖房装置は省エネルギー暖房装置（３）であり、第１の暖房サブシステム（４）は涼しい外気温度の場合の暖房出力の基本システムとして形成され、
第２の暖房サブシステム（１６）は、外気温度が比較的寒くて第１の暖房サブシステム（４）の暖房出力だけでは十分でない場合に、外気温度および／または室内温度に応じて自動的に切換えユニットによって追加接続される
ことを特徴とする建物暖房装置。
【請求項２】
第１の暖房サブシステム（４）は少なくとも１つのソーラーモジュール（５）および／または少なくとも１つの地熱モジュールおよび／またはバイオガスプラントにおける発電機の１つの冷却器の形式の熱源を有し、熱移送媒体は制御されたポンプ移送可能な温水であることを特徴とする請求項１に記載の建物暖房装置。
【請求項３】
建物暖房装置（３）には第２の暖房サブシステム（１６）に必要な電気エネルギーを発生させるため、風力発電機および／またはバイオガス発電機および／または水力発電機が付設されることを特徴とする請求項１または２に記載の建物暖房装置。
【請求項４】
熱移送装置の平板型ラジエータ（１２）は広い平坦な前面（１３）を有し、平板型ラジエータ（１２）の面は室壁にほぼ平行とし、前面（１３）は室内に向けて取り付け可能であり、
前記前面（１３）には被覆層（１７）がそれぞれ塗布される
ことを特徴とする請求項１ないし３のいずれか１項に記載の建物暖房装置。
【請求項５】
熱移送装置（１２）は金属で製造され、保持面としての熱移送外面（１３）と放射面（１７）としての被覆層との間には少なくとも電気絶縁の中間層が塗布されることを特徴とする請求項１ないし４のいずれか１項に記載の建物暖房装置。
【請求項６】
被覆層（１７）はこの被覆層に接続された２つの電気導体（２４，２５）によって境界が画され、被覆層材料の組成は、
ａ．３９から４９％量の結合剤と、
１８から２３％量の絶縁剤と、
１８から２４％量の分散剤と、
１２から１６％量の蒸留水と
からなる５５から６５％量の基本物質と
ｂ．３５から４５％量の黒鉛と
からなり、
結合剤の組成は
６４から７９％量の蒸留水と、
４から６％量のスルホン油と、
０．１６から０．２４％量のフェノールまたは０．０５から０．５％量のベンゾイソチアゾリノンと、
１５から１９％量のカゼインと、
０．１８から１．２％量の尿素と、
２から３％量のアルカリ希釈剤と、
２．５から３．５％量のカプロラクタムと
からなり、
暖房制御装置（１８）は、トリガー振動の制御の際に急峻な上昇縁に対応する急峻な電流上昇速度を有して高調波の高い部分を発生させるのに適した電気モジュールが含まれる高調波発振器（２３）を備え、
高調波発振器（２３）は、分子固有振動周波数の領域で振動スペクトルを有する電磁波を放射する被覆層（１７）を励磁するため、被覆層（１７）の境界を画する２つの電気導体（２４，２５）に接続される
ことを特徴とする請求項１ないし５のいずれか１項に記載の建物暖房装置。
【請求項７】
スルホン油は硫酸リシン油が望ましく、
フェノールは分解で生成された炭化フェノールであるか、または望ましくはベンゾイソチアゾリノンが使用され、
希釈剤は芳香族および／またはアルコールおよび／またはエステルおよび／またはケトンを基本とする溶剤であり、
絶縁剤は絶縁ススであり、
分散剤は無機および／または有機の、モノマーおよび／またはポリマー物質であり、
被覆層材料はチキソトロピー剤を含む
ことを特徴とする請求項６に記載の建物暖房装置。
【請求項８】
電気構成部材は付設された公知の電子トリガー部材を有するトライアックおよび／または二重ＭＯＳＦＥＴであり、
暖房部材上の電気導体はほぼ平行に配置された銅箔帯（２４，２５）として形成され、被覆層（１７）への電気接触は容量的および／または誘導的接続で形成され、被覆層（１７）が銅箔帯（２４，２５）の上または下に配置されるか、銅箔帯が被覆層（１７）内に埋め込まれる
ことを特徴とする請求項６または７に記載の建物暖房装置。
【請求項９】
被覆層（１７）の暖房効果は高調波発振器（２３）のトリガー振動の振幅および／または周波数の変化によって制御および／または調節可能であることを特徴とする請求項６ないし８のいずれか１項に記載の建物暖房装置。
【国際調査報告】
2004526932.tif 000021
2004526932.tif 000022
2004526932.tif 000023
2004526932.tif 000024
2004526932.tif 000025
2004526932.tif 000026